【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ワイヤレス通信システム中での、信号のサーチをサポートする方法において、
複数のワイヤレスデバイスに対する情報を収集することと、
前記収集した情報に基づいて、少なくとも１つのサーチパラメータを決定することと、
ワイヤレスデバイスがアウトオブサービスであるときに、信号のサーチを実行する際に使用するために、前記少なくとも１つのサーチパラメータを前記ワイヤレスデバイスに提供することとを含む方法。
【請求項２】
前記情報を収集することは、アウトオブサービスの継続時間、ワイヤレスデバイスの位置、アウトオブサービスイベントの頻度、ネットワーク負荷、中断した通話、天候状態、または、これらの組み合せ、に関する情報を収集することを含む請求項１記載の方法。
【請求項３】
前記複数のワイヤレスデバイスから、または、少なくとも１つのネットワークエンティティから、あるいは、その両方から、前記複数のワイヤレスデバイスに対する情報を受信することをさらに含む請求項１記載の方法。
【請求項４】
前記少なくとも１つのサーチパラメータは、サーチを実行するレートに対応するスキャンレートを含む請求項１記載の方法。
【請求項５】
前記少なくとも１つのサーチパラメータは、より長いバッテリー寿命が望まれるときに、サーチを実行する際に使用する第１のスキャンレートと、より速い、信号の再捕捉が望まれるときに、サーチを実行する際に使用する第２のスキャンレートとを含み、前記第２のスキャンレートは、前記第１のスキャンレートよりも速い請求項１記載の方法。
【請求項６】
前記少なくとも１つのサーチパラメータを決定することは、
前記収集した情報に基づいて、前記複数のワイヤレスデバイスに対する、平均のアウトオブサービス時間を推定することと、
前記推定された平均のアウトオブサービス時間に基づいて、スキャンレートを決定することとを含む請求項１記載の方法。
【請求項７】
前記少なくとも１つのサーチパラメータを決定することは、
前記スキャンレートを調整することと、
前記調整されたスキャンレートによる、更新された平均のアウトオブサービス時間を決定することと、
前記更新された平均のアウトオブサービス時間が、前記推定された平均のアウトオブサービス時間に比べて改善されている場合に、前記調整されたスキャンレートを使用することとをさらに含む請求項６記載の方法。
【請求項８】
前記少なくとも１つのサーチパラメータを決定することは、
終了条件に遭遇するまで、前記スキャンレートを調整することと、前記更新された平均のアウトオブサービス時間を決定することとを繰返し実行することと、
前記終了条件に遭遇したときに取得される、最終的な、調整されたスキャンレートを使用することとをさらに含む請求項７記載の方法。
【請求項９】
前記少なくとも１つのサーチパラメータを決定することは、
前記複数のワイヤレスデバイスに対する収集情報に基づいて、カバレッジマップを決定することと、
前記カバレッジマップに基づいて、少なくとも１つのエリアに対する少なくとも１つのスキャンレートを決定することとを含む請求項１記載の方法。
【請求項１０】
前記カバレッジマップを決定することは、
前記収集情報から、前記複数のワイヤレスデバイスの、アウトオブサービス継続時間と、位置とを取得することと、
前記複数のワイヤレスデバイスの、アウトオブサービス継続時間と、位置とに基づいて、長いアウトオブサービス時間を有する、乏しいカバレッジのエリアと、短いアウトオブサービス時間を有する、良好なカバレッジのエリアとを識別することとを含む請求項９記載の方法。
【請求項１１】
前記乏しいカバレッジのエリアは、良好なカバレッジのエリアに対するスキャンレートよりも遅いスキャンレートに関係付けられている請求項１０記載の方法。
【請求項１２】
前記情報を収集することは、指定されたエリア内に位置している前記複数のワイヤレスデバイスに対する情報を収集することを含み、前記少なくとも１つのサーチパラメータを提供することは、前記少なくとも１つのサーチパラメータを、前記指定エリア内に位置しているワイヤレスデバイスに提供することを含む請求項１記載の方法。
【請求項１３】
信号のサーチをサポートする装置において、
複数のワイヤレスデバイスに対する情報を収集し、前記収集した情報に基づいて、少なくとも１つのサーチパラメータを決定し、ワイヤレスデバイスがアウトオブサービスであるときに、信号のサーチを実行する際に使用するために、前記少なくとも１つのサーチパラメータを前記ワイヤレスデバイスに提供するように構成されている少なくとも１つのプロセッサを具備する装置。
【請求項１４】
前記少なくとも１つのプロセッサは、アウトオブサービスの継続時間、ワイヤレスデバイスの位置、アウトオブサービスイベントの頻度、ネットワーク負荷、中断した通話、天候状態、または、これらの組み合せ、に関する情報を収集するように構成されている請求項１３記載の装置。
【請求項１５】
前記少なくとも１つのプロセッサは、前記収集した情報に基づいて、前記複数のワイヤレスデバイスに対する、平均のアウトオブサービス時間を推定し、前記推定された平均のアウトオブサービス時間に基づいて、スキャンレートを決定するように構成されている請求項１３記載の装置。
【請求項１６】
前記少なくとも１つのプロセッサは、前記スキャンレートを調整し、前記調整されたスキャンレートによる、更新された平均のアウトオブサービス時間を決定し、前記更新された平均のアウトオブサービス時間が、前記推定された平均のアウトオブサービス時間に比べて改善されている場合に、前記調整されたスキャンレートを使用するように構成されている請求項１５記載の装置。
【請求項１７】
前記少なくとも１つのプロセッサは、前記複数のワイヤレスデバイスに対する収集情報に基づいて、カバレッジマップを決定し、前記カバレッジマップに基づいて、少なくとも１つのエリアに対する少なくとも１つのスキャンレートを決定するように構成されている請求項１３記載の装置。
【請求項１８】
信号のサーチをサポートする装置において、
複数のワイヤレスデバイスに対する情報を収集する手段と、
前記収集した情報に基づいて、少なくとも１つのサーチパラメータを決定する手段と、
ワイヤレスデバイスがアウトオブサービスであるときに、信号のサーチを実行する際に使用するために、前記少なくとも１つのサーチパラメータを前記ワイヤレスデバイスに提供する手段とを具備する装置。
【請求項１９】
前記情報を収集する手段は、アウトオブサービスの継続時間、ワイヤレスデバイスの位置、アウトオブサービスイベントの頻度、ネットワーク負荷、中断した通話、天候状態、または、これらの組み合せ、に関する情報を収集する手段を備える請求項１８記載の装置。
【請求項２０】
前記少なくとも１つのサーチパラメータを決定する手段は、
前記収集した情報に基づいて、前記複数のワイヤレスデバイスに対する、平均のアウトオブサービス時間を推定する手段と、
前記推定された平均のアウトオブサービス時間に基づいて、スキャンレートを決定する手段とを備える請求項１８記載の装置。
【請求項２１】
前記少なくとも１つのサーチパラメータを決定する手段は、
前記複数のワイヤレスデバイスに対する収集情報に基づいて、カバレッジマップを決定する手段と、
前記カバレッジマップに基づいて、少なくとも１つのエリアに対する少なくとも１つのスキャンレートを決定する手段とを備える請求項１８記載の装置。
【請求項２２】
コンピュータ読み取り可能記憶媒体において、
複数のワイヤレスデバイスに対する情報を少なくとも１つのコンピュータに収集させるためのコードと、
前記収集した情報に基づいて、少なくとも１つのサーチパラメータを前記少なくとも１つのコンピュータに決定させるためのコードと、
ワイヤレスデバイスがアウトオブサービスであるときに、信号のサーチを実行する際に使用するために、前記少なくとも１つのコンピュータに、前記少なくとも１つのサーチパラメータを前記ワイヤレスデバイスに提供させるためのコードとを含むコンピュータ読み取り可能記憶媒体。
【請求項２３】
前記コンピュータ読み取り可能記憶媒体は、
前記収集した情報に基づいて、前記複数のワイヤレスデバイスに対する、平均のアウトオブサービス時間を、前記少なくとも１つのコンピュータに推定させるためのコードと、
前記推定された平均のアウトオブサービス時間に基づいて、前記少なくとも１つのコンピュータにスキャンレートを決定させるためのコードとをさらに含む請求項２２記載のコンピュータ読み取り可能記憶媒体。
【請求項２４】
前記コンピュータ読み取り可能記憶媒体は、
前記複数のワイヤレスデバイスに対する収集情報に基づいて、カバレッジマップを前記少なくとも１つのコンピュータに決定させるためのコードと、
前記カバレッジマップに基づいて、少なくとも１つのエリアに対する少なくとも１つのスキャンレートを前記少なくとも１つのコンピュータに決定させるためのコードとをさらに含む請求項２２記載のコンピュータ読み取り可能記憶媒体。
【請求項２５】
ワイヤレスデバイスを動作させる方法において、
複数のワイヤレスデバイスに対してネットワークエンティティにより収集された情報に基づいて前記ネットワークエンティティにより決定された、少なくとも１つのサーチパラメータを受信することと、
前記ワイヤレスデバイスがアウトオブサービスであるときに、前記少なくとも１つのサーチパラメータにしたがって、信号のサーチを実行することとを含む方法。
【請求項２６】
前記ワイヤレスデバイスにより遭遇されるアウトオブサービスイベントに関連した情報を収集することと、
前記少なくとも１つのサーチパラメータを決定する際に使用するために、前記収集した情報を前記ネットワークエンティティに送ることとをさらに含む請求項２５記載の方法。
【請求項２７】
前記少なくとも１つのサーチパラメータはスキャンレートを含み、前記方法は、
前記ワイヤレスデバイスの現在の動作状態を決定することと、
前記現在の動作状態に基づいて、前記スキャンレートを調整することとをさらに含み、
サーチは、前記調整されたスキャンレートにしたがって実行される請求項２５記載の方法。
【請求項２８】
前記少なくとも１つのサーチパラメータは、前記ワイヤレスデバイスが前記ネットワークエンティティによりカバーされる全継続時間に対して使用するスキャンレートを含み、
サーチは、前記スキャンレートで実行される請求項２５記載の方法。
【請求項２９】
前記少なくとも１つのサーチパラメータは、前記ワイヤレスデバイスが前記ネットワークエンティティによりカバーされる継続時間中に、前記ネットワークエンティティにより変更可能なスキャンレートを含み、
サーチは、前記スキャンレートで実行される請求項２５記載の方法。
【請求項３０】
ワイヤレス通信のための装置において、
複数のワイヤレスデバイスに対してネットワークエンティティにより収集された情報に基づいて前記ネットワークエンティティにより決定された、少なくとも１つのサーチパラメータを受信し、ワイヤレスデバイスがアウトオブサービスであるときに、前記少なくとも１つのサーチパラメータにしたがって、信号のサーチを実行するように構成されている少なくとも１つのプロセッサを具備する装置。
【請求項３１】
前記少なくとも１つのプロセッサは、前記ワイヤレスデバイスにより遭遇されるアウトオブサービスイベントに関連した情報を収集し、前記少なくとも１つのサーチパラメータを決定する際に使用するために、前記収集した情報を前記ネットワークエンティティに送るように構成されている請求項３０記載の装置。
【請求項３２】
前記少なくとも１つのプロセッサは、前記ネットワークエンティティからスキャンレートを受信し、前記ワイヤレスデバイスの現在の動作状態を決定し、前記現在の動作状態に基づいて、前記スキャンレートを調整し、前記調整されたスキャンレートにしたがって、サーチを実行するように構成されている請求項３０記載の装置。
【請求項３３】
ワイヤレスデバイスを動作させる方法において、
前記ワイヤレスデバイスにより遭遇されるアウトオブサービスイベントに関連した情報を収集することと、
前記収集した情報に基づいて、少なくとも１つのサーチパラメータを決定することと、
前記ワイヤレスデバイスがアウトオブサービスであるときに、前記少なくとも１つのサーチパラメータにしたがって、信号のサーチを実行することとを含む方法。
【請求項３４】
前記情報を収集することは、アウトオブサービスの継続時間、前記ワイヤレスデバイスの位置、アウトオブサービスイベントの頻度、信号強度、または、これらの組み合せ、に関する情報を収集することを含む請求項３３記載の方法。
【請求項３５】
前記少なくとも１つのサーチパラメータを決定することは、
前記ワイヤレスデバイスの現在の動作状態を決定することと、
前記現在の動作状態にさらに基づいて、前記少なくとも１つのサーチパラメータを決定することとを含む請求項３３記載の方法。
【請求項３６】
前記少なくとも１つのサーチパラメータを決定することは、
前記収集した情報に基づいて、前記ワイヤレスデバイスに対する、平均のアウトオブサービス時間を推定することと、
前記推定された平均のアウトオブサービス時間に基づいて、スキャンレートを決定することとを含む請求項３３記載の方法。
【請求項３７】
前記少なくとも１つのサーチパラメータは、前記収集した情報に基づいて決定された第１のスキャンレートを含み、前記方法は、
複数のワイヤレスデバイスに対してネットワークエンティティにより収集された情報に基づいて前記ネットワークエンティティにより決定された、第２のスキャンレートを受信することと、
前記第１および第２のスキャンレートに基づいて、第３のスキャンレートを決定することとをさらに含み、
サーチは、前記ワイヤレスデバイスがアウトオブサービスであるときに、前記第３のスキャンレートにしたがって実行される請求項３３記載の方法。
【請求項３８】
ワイヤレス通信のための装置において、
ワイヤレスデバイスにより遭遇されるアウトオブサービスイベントに関連した情報を収集し、前記収集した情報に基づいて、少なくとも１つのサーチパラメータを決定し、前記ワイヤレスデバイスがアウトオブサービスであるときに、前記少なくとも１つのサーチパラメータにしたがって、信号のサーチを実行するように構成されている少なくとも１つのプロセッサを具備する装置。
【請求項３９】
前記少なくとも１つのプロセッサは、アウトオブサービスの継続時間、前記ワイヤレスデバイスの位置、アウトオブサービスイベントの頻度、信号強度、または、これらの組み合せ、に関する情報を収集するように構成されている請求項３８記載の装置。
【請求項４０】
前記少なくとも１つのプロセッサは、前記ワイヤレスデバイスの現在の動作状態を決定し、前記現在の動作状態にさらに基づいて、前記少なくとも１つのサーチパラメータを決定するように構成されている請求項３８記載の装置。
【請求項４１】
前記少なくとも１つのプロセッサは、前記収集した情報に基づいて、前記ワイヤレスデバイスに対する、平均のアウトオブサービス時間を推定し、前記推定された平均のアウトオブサービス時間に基づいて、スキャンレートを決定するように構成されている請求項３８記載の装置。
【請求項４２】
前記少なくとも１つのプロセッサは、前記収集した情報に基づいて第１のスキャンレートを決定し、複数のワイヤレスデバイスに対してネットワークエンティティにより収集された情報に基づいて前記ネットワークエンティティにより決定された、第２のスキャンレートを受信し、前記第１および第２のスキャンレートに基づいて、第３のスキャンレートを決定し、前記ワイヤレスデバイスがアウトオブサービスであるときに、前記第３のスキャンレートにしたがって、サーチを実行するように構成されている請求項３８記載の装置。
【手続補正２】
【補正対象書類名】明細書
【補正対象項目名】００７３
【補正方法】変更
【補正の内容】
【００７３】
いかなる当業者であっても本開示を実施しまたは使用できるように、本開示の記述をこれまでに提供している。本開示に対してさまざまな修正が当業者に容易に明らかであり、本開示の範囲から逸脱することなく、ここで規定した一般的な原理を、他のバリエーションに適用してもよい。したがって、本開示は、ここで記述した例および設計に限定されるように向けられていないが、ここで開示した原理および新規な特徴に矛盾しない最も広い範囲に一致すべきである。
以下に、本願出願の当初の特許請求の範囲に記載された発明を付記する。
［１］ワイヤレス通信システム中での、信号のサーチをサポートする方法において、
複数のワイヤレスデバイスに対する情報を収集することと、
前記収集した情報に基づいて、少なくとも１つのサーチパラメータを決定することと、
ワイヤレスデバイスがアウトオブサービスであるときに、信号のサーチを実行する際に使用するために、前記少なくとも１つのサーチパラメータを前記ワイヤレスデバイスに提供することとを含む方法。
［２］前記情報を収集することは、アウトオブサービスの継続時間、ワイヤレスデバイスの位置、アウトオブサービスイベントの頻度、ネットワーク負荷、中断した通話、天候状態、または、これらの組み合せ、に関する情報を収集することを含む上記［１］記載の方法。
［３］前記複数のワイヤレスデバイスから、または、少なくとも１つのネットワークエンティティから、あるいは、その両方から、前記複数のワイヤレスデバイスに対する情報を受信することをさらに含む上記［１］記載の方法。
［４］前記少なくとも１つのサーチパラメータは、サーチを実行するレートに対応するスキャンレートを含む上記［１］記載の方法。
［５］前記少なくとも１つのサーチパラメータは、より長いバッテリー寿命が望まれるときに、サーチを実行する際に使用する第１のスキャンレートと、より速い、信号の再捕捉が望まれるときに、サーチを実行する際に使用する第２のスキャンレートとを含み、前記第２のスキャンレートは、前記第１のスキャンレートよりも速い上記［１］記載の方法。
［６］前記少なくとも１つのサーチパラメータを決定することは、
前記収集した情報に基づいて、前記複数のワイヤレスデバイスに対する、平均のアウトオブサービス時間を推定することと、
前記推定された平均のアウトオブサービス時間に基づいて、スキャンレートを決定することとを含む上記［１］記載の方法。
［７］前記少なくとも１つのサーチパラメータを決定することは、
前記スキャンレートを調整することと、
前記調整されたスキャンレートによる、更新された平均のアウトオブサービス時間を決定することと、
前記更新された平均のアウトオブサービス時間が、前記推定された平均のアウトオブサービス時間に比べて改善されている場合に、前記調整されたスキャンレートを使用することとをさらに含む上記［６］記載の方法。
［８］前記少なくとも１つのサーチパラメータを決定することは、
終了条件に遭遇するまで、前記スキャンレートを調整することと、前記更新された平均のアウトオブサービス時間を決定することとを繰返し実行することと、
前記終了条件に遭遇したときに取得される、最終的な、調整されたスキャンレートを使用することとをさらに含む上記［７］記載の方法。
［９］前記少なくとも１つのサーチパラメータを決定することは、
前記複数のワイヤレスデバイスに対する収集情報に基づいて、カバレッジマップを決定することと、
前記カバレッジマップに基づいて、少なくとも１つのエリアに対する少なくとも１つのスキャンレートを決定することとを含む上記［１］記載の方法。
［１０］前記カバレッジマップを決定することは、
前記収集情報から、前記複数のワイヤレスデバイスの、アウトオブサービス継続時間と、位置とを取得することと、
前記複数のワイヤレスデバイスの、アウトオブサービス継続時間と、位置とに基づいて、長いアウトオブサービス時間を有する、乏しいカバレッジのエリアと、短いアウトオブサービス時間を有する、良好なカバレッジのエリアとを識別することとを含む上記［９］記載の方法。
［１１］前記乏しいカバレッジのエリアは、良好なカバレッジのエリアに対するスキャンレートよりも遅いスキャンレートに関係付けられている上記［１０］記載の方法。
［１２］前記情報を収集することは、指定されたエリア内に位置している前記複数のワイヤレスデバイスに対する情報を収集することを含み、前記少なくとも１つのサーチパラメータを提供することは、前記少なくとも１つのサーチパラメータを、前記指定エリア内に位置しているワイヤレスデバイスに提供することを含む上記［１］記載の方法。
［１３］信号のサーチをサポートする装置において、
複数のワイヤレスデバイスに対する情報を収集し、前記収集した情報に基づいて、少なくとも１つのサーチパラメータを決定し、ワイヤレスデバイスがアウトオブサービスであるときに、信号のサーチを実行する際に使用するために、前記少なくとも１つのサーチパラメータを前記ワイヤレスデバイスに提供するように構成されている少なくとも１つのプロセッサを具備する装置。
［１４］前記少なくとも１つのプロセッサは、アウトオブサービスの継続時間、ワイヤレスデバイスの位置、アウトオブサービスイベントの頻度、ネットワーク負荷、中断した通話、天候状態、または、これらの組み合せ、に関する情報を収集するように構成されている上記［１３］記載の装置。
［１５］前記少なくとも１つのプロセッサは、前記収集した情報に基づいて、前記複数のワイヤレスデバイスに対する、平均のアウトオブサービス時間を推定し、前記推定された平均のアウトオブサービス時間に基づいて、スキャンレートを決定するように構成されている上記［１３］記載の装置。
［１６］前記少なくとも１つのプロセッサは、前記スキャンレートを調整し、前記調整されたスキャンレートによる、更新された平均のアウトオブサービス時間を決定し、前記更新された平均のアウトオブサービス時間が、前記推定された平均のアウトオブサービス時間に比べて改善されている場合に、前記調整されたスキャンレートを使用するように構成されている上記［１５］記載の装置。
［１７］前記少なくとも１つのプロセッサは、前記複数のワイヤレスデバイスに対する収集情報に基づいて、カバレッジマップを決定し、前記カバレッジマップに基づいて、少なくとも１つのエリアに対する少なくとも１つのスキャンレートを決定するように構成されている上記［１３］記載の装置。
［１８］信号のサーチをサポートする装置において、
複数のワイヤレスデバイスに対する情報を収集する手段と、
前記収集した情報に基づいて、少なくとも１つのサーチパラメータを決定する手段と、
ワイヤレスデバイスがアウトオブサービスであるときに、信号のサーチを実行する際に使用するために、前記少なくとも１つのサーチパラメータを前記ワイヤレスデバイスに提供する手段とを具備する装置。
［１９］前記情報を収集する手段は、アウトオブサービスの継続時間、ワイヤレスデバイスの位置、アウトオブサービスイベントの頻度、ネットワーク負荷、中断した通話、天候状態、または、これらの組み合せ、に関する情報を収集する手段を備える上記［１８］記載の装置。
［２０］前記少なくとも１つのサーチパラメータを決定する手段は、
前記収集した情報に基づいて、前記複数のワイヤレスデバイスに対する、平均のアウトオブサービス時間を推定する手段と、
前記推定された平均のアウトオブサービス時間に基づいて、スキャンレートを決定する手段とを備える上記［１８］記載の装置。
［２１］前記少なくとも１つのサーチパラメータを決定する手段は、
前記複数のワイヤレスデバイスに対する収集情報に基づいて、カバレッジマップを決定する手段と、
前記カバレッジマップに基づいて、少なくとも１つのエリアに対する少なくとも１つのスキャンレートを決定する手段とを備える上記［１８］記載の装置。
［２２］コンピュータ読み取り可能媒体を具備するコンピュータプログラムプロダクトにおいて、
前記コンピュータ読み取り可能媒体は、
複数のワイヤレスデバイスに対する情報を少なくとも１つのコンピュータに収集させるためのコードと
前記収集した情報に基づいて、少なくとも１つのサーチパラメータを前記少なくとも１つのコンピュータに決定させるためのコードと、
ワイヤレスデバイスがアウトオブサービスであるときに、信号のサーチを実行する際に使用するために、前記少なくとも１つのコンピュータに、前記少なくとも１つのサーチパラメータを前記ワイヤレスデバイスに提供させるためのコードとを備えるコンピュータプログラムプロダクト。
［２３］前記コンピュータ読み取り可能媒体は、
前記収集した情報に基づいて、前記複数のワイヤレスデバイスに対する、平均のアウトオブサービス時間を、前記少なくとも１つのコンピュータに推定させるためのコードと、
前記推定された平均のアウトオブサービス時間に基づいて、前記少なくとも１つのコンピュータにスキャンレートを決定させるためのコードとをさらに備える上記［２２］記載のコンピュータプログラムプロダクト。
［２４］前記コンピュータ読み取り可能媒体は、
前記複数のワイヤレスデバイスに対する収集情報に基づいて、カバレッジマップを前記少なくとも１つのコンピュータに決定させるためのコードと、
前記カバレッジマップに基づいて、少なくとも１つのエリアに対する少なくとも１つのスキャンレートを前記少なくとも１つのコンピュータに決定させるためのコードとをさらに備える上記［２２］記載のコンピュータプログラムプロダクト。
［２５］ワイヤレスデバイスを動作させる方法において、
複数のワイヤレスデバイスに対してネットワークエンティティにより収集された情報に基づいて前記ネットワークエンティティにより決定された、少なくとも１つのサーチパラメータを受信することと、
前記ワイヤレスデバイスがアウトオブサービスであるときに、前記少なくとも１つのサーチパラメータにしたがって、信号のサーチを実行することとを含む方法。
［２６］前記ワイヤレスデバイスにより遭遇されるアウトオブサービスイベントに関連した情報を収集することと、
前記少なくとも１つのサーチパラメータを決定する際に使用するために、前記収集した情報を前記ネットワークエンティティに送ることとをさらに含む上記［２５］記載の方法。
［２７］前記少なくとも１つのサーチパラメータはスキャンレートを含み、前記方法は、
前記ワイヤレスデバイスの現在の動作状態を決定することと、
前記現在の動作状態に基づいて、前記スキャンレートを調整することとをさらに含み、
サーチは、前記調整されたスキャンレートにしたがって実行される上記［２５］記載の方法。
［２８］前記少なくとも１つのサーチパラメータは、前記ワイヤレスデバイスが前記ネットワークエンティティによりカバーされる全継続時間に対して使用するスキャンレートを含み、
サーチは、前記スキャンレートで実行される上記［２５］記載の方法。
［２９］前記少なくとも１つのサーチパラメータは、前記ワイヤレスデバイスが前記ネットワークエンティティによりカバーされる継続時間中に、前記ネットワークエンティティにより変更可能なスキャンレートを含み、
サーチは、前記スキャンレートで実行される上記［２５］記載の方法。
［３０］ワイヤレス通信のための装置において、
複数のワイヤレスデバイスに対してネットワークエンティティにより収集された情報に基づいて前記ネットワークエンティティにより決定された、少なくとも１つのサーチパラメータを受信し、ワイヤレスデバイスがアウトオブサービスであるときに、前記少なくとも１つのサーチパラメータにしたがって、信号のサーチを実行するように構成されている少なくとも１つのプロセッサを具備する装置。
［３１］前記少なくとも１つのプロセッサは、前記ワイヤレスデバイスにより遭遇されるアウトオブサービスイベントに関連した情報を収集し、前記少なくとも１つのサーチパラメータを決定する際に使用するために、前記収集した情報を前記ネットワークエンティティに送るように構成されている上記［３０］記載の装置。
［３２］前記少なくとも１つのプロセッサは、前記ネットワークエンティティからスキャンレートを受信し、前記ワイヤレスデバイスの現在の動作状態を決定し、前記現在の動作状態に基づいて、前記スキャンレートを調整し、前記調整されたスキャンレートにしたがって、サーチを実行するように構成されている上記［３０］記載の装置。
［３３］ワイヤレスデバイスを動作させる方法において、
前記ワイヤレスデバイスにより遭遇されるアウトオブサービスイベントに関連した情報を収集することと、
前記収集した情報に基づいて、少なくとも１つのサーチパラメータを決定することと、
前記ワイヤレスデバイスがアウトオブサービスであるときに、前記少なくとも１つのサーチパラメータにしたがって、信号のサーチを実行することとを含む方法。
［３４］前記情報を収集することは、アウトオブサービスの継続時間、前記ワイヤレスデバイスの位置、アウトオブサービスイベントの頻度、信号強度、または、これらの組み合せ、に関する情報を収集することを含む上記［３３］記載の方法。
［３５］前記少なくとも１つのサーチパラメータを決定することは、
前記ワイヤレスデバイスの現在の動作状態を決定することと、
前記現在の動作状態にさらに基づいて、前記少なくとも１つのサーチパラメータを決定することとを含む上記［３３］記載の方法。
［３６］前記少なくとも１つのサーチパラメータを決定することは、
前記収集した情報に基づいて、前記ワイヤレスデバイスに対する、平均のアウトオブサービス時間を推定することと、
前記推定された平均のアウトオブサービス時間に基づいて、スキャンレートを決定することとを含む上記［３３］記載の方法。
［３７］前記少なくとも１つのサーチパラメータは、前記収集した情報に基づいて決定された第１のスキャンレートを含み、前記方法は、
複数のワイヤレスデバイスに対してネットワークエンティティにより収集された情報に基づいて前記ネットワークエンティティにより決定された、第２のスキャンレートを受信することと、
前記第１および第２のスキャンレートに基づいて、第３のスキャンレートを決定することとをさらに含み、
サーチは、前記ワイヤレスデバイスがアウトオブサービスであるときに、前記第３のスキャンレートにしたがって実行される上記［３３］記載の方法。
［３８］ワイヤレス通信のための装置において、
ワイヤレスデバイスにより遭遇されるアウトオブサービスイベントに関連した情報を収集し、前記収集した情報に基づいて、少なくとも１つのサーチパラメータを決定し、前記ワイヤレスデバイスがアウトオブサービスであるときに、前記少なくとも１つのサーチパラメータにしたがって、信号のサーチを実行するように構成されている少なくとも１つのプロセッサを具備する装置。
［３９］前記少なくとも１つのプロセッサは、アウトオブサービスの継続時間、前記ワイヤレスデバイスの位置、アウトオブサービスイベントの頻度、信号強度、または、これらの組み合せ、に関する情報を収集するように構成されている上記［３８］記載の装置。
［４０］前記少なくとも１つのプロセッサは、前記ワイヤレスデバイスの現在の動作状態を決定し、前記現在の動作状態にさらに基づいて、前記少なくとも１つのサーチパラメータを決定するように構成されている上記［３８］記載の装置。
［４１］前記少なくとも１つのプロセッサは、前記収集した情報に基づいて、前記ワイヤレスデバイスに対する、平均のアウトオブサービス時間を推定し、前記推定された平均のアウトオブサービス時間に基づいて、スキャンレートを決定するように構成されている上記［３８］記載の装置。
［４２］前記少なくとも１つのプロセッサは、前記収集した情報に基づいて第１のスキャンレートを決定し、複数のワイヤレスデバイスに対してネットワークエンティティにより収集された情報に基づいて前記ネットワークエンティティにより決定された、第２のスキャンレートを受信し、前記第１および第２のスキャンレートに基づいて、第３のスキャンレートを決定し、前記ワイヤレスデバイスがアウトオブサービスであるときに、前記第３のスキャンレートにしたがって、サーチを実行するように構成されている上記［３８］記載の装置。